(57)【要約】【課題】電子機器を保管し、また保管している状態で充電する上で、保守管理性、利用性を向上させる。【解決手段】電子機器（９０１）を保管するための電子機器用充電保管装置（１０１）であって、当該電子機器用充電保管装置の筐体（１１１）と、前記電子機器（９０１）を格納するために前記筐体（１１１）内の一部に設けられた電子機器格納部（１１３）と、ＡＣ電源により前記電子機器（９０１）を充電するための充電機器類を格納するために前記筐体（１１１）内の他の一部に設けられた充電機器類格納部（１１５）と、前記電子機器（９０１）を前記充電機器類により充電するための、前記充電機器類に含まれる給電線を通すために前記電子機器格納部（１１３）と前記充電機器類格納部（１１５）との境界に設けられた給電線用通し穴（１１７）と、を備える。【選択図】図７
2015213426.tif 000002
【特許請求の範囲】
【請求項１】
電子機器を保管するための電子機器用充電保管装置であって、
当該電子機器用充電保管装置の筐体と、
前記電子機器を格納するために前記筐体内の一部に設けられた電子機器格納部と、
ＡＣ電源により前記電子機器を充電するための充電機器類を格納するために前記筐体内の他の一部に設けられた充電機器類格納部と、
当該電子機器用充電保管装置の前方から前記電子機器を前記電子機器格納部に対して出し入れするための前面主開口部と、
前記前面主開口部を閉じるための開閉可能な前面扉と、
を備え、
前記前面扉は、該前面扉が閉じた状態において、前記電子機器格納部に前記電子機器が格納されているか否かを外部から確認することができるような構成を有することを特徴とする電子機器用充電保管装置。
【請求項２】
請求項１に記載の電子機器用充電保管装置であって、
前記電子機器の充電状態を表示するための表示部を更に備え、
前記前面扉は、該前面扉が閉じた状態において、前記表示部による表示を外部から確認することができるような構成を有することを特徴とする電子機器用充電保管装置。
【請求項３】
請求項１又は２に記載の電子機器用充電保管装置であって、
前記前面扉が、当該電子機器用充電保管装置の内部に収納可能に開くようにするための収納機構を備えることを特徴とする電子機器用充電保管装置。
【請求項４】
請求項１乃至３の何れか１項に記載の電子機器用充電保管装置であって、
前記電子機器を前記充電機器類により充電するための、前記充電機器類に含まれる給電線を通すために前記電子機器格納部と前記充電機器類格納部との境界に設けられた給電線用通し穴を更に備え、
前記給電線用通し穴から前記充電機器類格納部に出てきた前記給電線を前記筐体の前方からの操作により前記電子機器に接続すること又はこれから取り外すことができるように、前記給電線用通し穴は、前記前面主開口部の近くに配置されていることを特徴とする電子機器用充電保管装置。
【請求項５】
請求項４に記載の電子機器用充電保管装置であって、
前記給電線用通し穴の近傍に、前記給電線をクリップするためのクリップを更に備えることを特徴とする電子機器用充電保管装置。
【請求項６】
請求項１乃至５の何れか１項に記載の電子機器用充電保管装置であって、
前記充電機器類に含まれるＡＣプラグを差し込むためのＡＣコンセントと、
前記筐体の前方から前記充電機器類に含まれるＡＣプラグを前記ＡＣコンセントに差し込むことができるようにするための前面副開口部と、
前記前面副開口部を閉じるための取り外し可能な前面蓋と、
を更に備え、
前記ＡＣコンセントが、前記充電機器類格納部の前方に設けられ、前記ＡＣコンセントは、前記前面蓋が前記前面副開口部に取り付けられていない状態で、前記筐体の前方から見て前記前面副開口部より露出するようになっており、また、前記ＡＣコンセントの前記ＡＣプラグと向かい合う面が斜め前方上方を向いていることを特徴とする電子機器用充電保管装置。
【請求項７】
請求項１乃至６の何れか１項に記載の電子機器用充電保管装置であって、
当該電子機器用充電保管装置の後方から前記充電機器類を前記充電機器類格納部に対して出し入れするための後面開口部を更に備えることを特徴とする電子機器用充電保管装置。
【請求項８】
請求項７に記載の電子機器用充電保管装置であって、
前記後面開口部を閉じるための取り外し可能な後面蓋を更に備えることを特徴とする電子機器用充電保管装置。
【請求項９】
請求項７又は８に記載の電子機器用充電保管装置であって、
当該電子機器用充電保管装置の後方から前記後面開口部を介して、前記充電機器類に含まれるＡＣアダプタをＡＣアダプタホルダに載置することができるように、前記ＡＣアダプタホルダが、前記充電機器類格納部の後方に設けられていることを特徴とする電子機器用充電保管装置。
【請求項１０】
請求項９に記載の電子機器用充電保管装置であって、
前記ＡＣアダプタを前記ＡＣアダプタホルダに固定するため又は前記ＡＣアダプタの転倒を防止するためのクランプが前記ＡＣアダプタホルダに形成されていることを特徴とする電子機器用充電保管装置。
【請求項１１】
請求項９又は１０に記載の電子機器用充電保管装置であって、
前記ＡＣアダプタに接続されている給電線を通すための第２の給電線用通し穴が前記ＡＣアダプタホルダに形成されていることを特徴とする電子機器用充電保管装置。
【請求項１２】
請求項９乃至１１の何れか１項に記載の電子機器用充電保管装置であって、
前記ＡＣアダプタホルダは、前記ＡＣアダプタを相互に接触可能に複数載置できるように形成されていることを特徴とする電子機器用充電保管装置。
【請求項１３】
請求項１乃至１２の何れか１項に記載の電子機器用充電保管装置であって、
前記充電機器類に含まれる給電線を拘束するために充電機器類格納部に設けられた拘束バンドを更に備えることを特徴とする電子機器用充電保管装置。
【請求項１４】
請求項１乃至１３の何れか１項に記載の電子機器用充電保管装置であって、
ＡＣ電源により前記充電機器類を介して前記電子機器を充電する時間を制限するためのタイマを更に備えることを特徴とする電子機器用充電保管装置。
【請求項１５】
請求項１乃至１４の何れか１項に記載の電子機器用充電保管装置であって、
当該電子機器用充電保管装置は、前記電子機器を前記電子機器格納部に複数格納することが可能であることを特徴とする電子機器用充電保管装置。
【請求項１６】
請求項１５に記載の電子機器用充電保管装置であって、
前記複数の電子機器を分離して前記電子機器格納部に格納するために前記電子機器格納部の内部に設けられた仕切板を更に備えることを特徴とする電子機器用充電保管装置。
【請求項１７】
請求項１乃至１６の何れか１項に記載の電子機器用充電保管装置であって、
当該電子機器用充電保管装置は、前記充電機器類を前記充電機器類格納部に複数格納することが可能であることを特徴とする電子機器用充電保管装置。
【請求項１８】
請求項１乃至１７の何れか１項に記載の電子機器用充電保管装置であって、
前記電子機器格納部と前記充電機器類格納部との組を複数備えることを特徴とする電子機器用充電保管装置。
【発明の詳細な説明】
【技術分野】
【０００１】
本発明は、電子機器を保管し、また、それを保管している状態で充電する電子機器用充電保管装置に関し、特にタブレッツ型パーソナルコンピュータ（以下、「タブレット型ＰＣ」という。）を保管し、また、それを保管している状態で充電する電子機器用充電保管装置に関する。
【背景技術】
【０００２】
近年、タブレット型ＰＣが学校の授業等において利用されようとしている。タブレット型ＰＣは、各生徒一人一人により教室において授業で用いられることとなるため、例えば、クラスにいる生徒全員のタブレット型ＰＣをクラスで管理する必要が出てくる。
【０００３】
タブレット型ＰＣは学校で使うものであるため、管理上の問題より、クラスにいる生徒全員のタブレット型ＰＣを保管し、また、それを保管している状態で充電する電子機器用充電保管装置が必要となる。
【０００４】
ここで、例えば、非特許文献１には、従来型の電子機器用充電保管装置が掲載されている。
【先行技術文献】
【非特許文献】
【０００５】
【非特許文献１】「タブレット４０台収納保管庫」、［online］、平成２７年４月３０日、サンワサプライ、［平成１１年７月３０日検索］、インターネット＜URL： http://www.sanwa.co.jp/product/syohin.asp?code=CAI-CAB13W＞
【発明の概要】
【発明が解決しようとする課題】
【０００６】
しかし、この従来型の電子機器用充電保管装置は、次のような課題を有している。
【０００７】
扉を開けると上側のラックに載置されているＡＣアダプタ等の充電機器類に誰でも自由に触れてしまうことができるので、充電機器類の保守管理が困難である。
【０００８】
また、扉を閉めると内部を外から見ることができないため、扉を開けない限り、電子機器用充電保管装置における電子機器の保管状態を把握することが困難である。
【０００９】
更に、電子機器用充電保管装置の裏側に、ＡＣケーブルによりＡＣプラグに接続されたＡＣタップを取り付けており、このＡＣタップに、ＡＣプラグなどの充電機器類を接続する構成となっているので、充電機器類や電子機器自体で確認しない限り、電子機器の充電状態を確認することが困難である。
【００１０】
そこで、本発明は、上記の課題を解決した電子機器用充電保管装置を提供することを目的とする。
【課題を解決するための手段】
【００１１】
本発明によれば、
電子機器を保管するための電子機器用充電保管装置であって、
当該電子機器用充電保管装置の筐体と、
前記電子機器を格納するために前記筐体内の一部に設けられた電子機器格納部と、
ＡＣ電源により前記電子機器を充電するための充電機器類を格納するために前記筐体内の他の一部に設けられた充電機器類格納部と、
当該電子機器用充電保管装置の前方から前記電子機器を前記電子機器格納部に対して出し入れするための前面主開口部と、
前記前面主開口部を閉じるための開閉可能な前面扉と、
を備え、
前記前面扉は、該前面扉が閉じた状態において、前記電子機器格納部に前記電子機器が格納されているか否かを外部から確認することができるような構成を有することを特徴とする電子機器用充電保管装置が提供される。
【００１２】
本発明によれば、
上記の電子機器用充電保管装置であって、
前記電子機器の充電状態を表示するための表示部を更に備え、
前記前面扉は、該前面扉が閉じた状態において、前記表示部による表示を外部から確認することができるような構成を有することを特徴とする電子機器用充電保管装置が提供される。
【００１３】
本発明によれば、
上記の電子機器用充電保管装置であって、
前記前面扉が、当該電子機器用充電保管装置の内部に収納可能に開くようにするための収納機構を備えることを特徴とする電子機器用充電保管装置が提供される。
【００１４】
本発明によれば、
上記の電子機器用充電保管装置であって、
前記電子機器を前記充電機器類により充電するための、前記充電機器類に含まれる給電線を通すために前記電子機器格納部と前記充電機器類格納部との境界に設けられた給電線用通し穴を更に備え、
前記給電線用通し穴から前記充電機器類格納部に出てきた前記給電線を前記筐体の前方からの操作により前記電子機器に接続すること又はこれから取り外すことができるように、前記給電線用通し穴は、前記前面主開口部の近くに配置されていることを特徴とする電子機器用充電保管装置が提供される。
【００１５】
本発明によれば、
上記の電子機器用充電保管装置であって、
前記給電線用通し穴の近傍に、前記給電線をクリップするためのクリップを更に備えることを特徴とする電子機器用充電保管装置が提供される。
【００１６】
本発明によれば、
上記の電子機器用充電保管装置であって、
前記充電機器類に含まれるＡＣプラグを差し込むためのＡＣコンセントと、
前記筐体の前方から前記充電機器類に含まれるＡＣプラグを前記ＡＣコンセントに差し込むことができるようにするための前面副開口部と、
前記前面副開口部を閉じるための取り外し可能な前面蓋と、
を更に備え、
前記ＡＣコンセントが、前記充電機器類格納部の前方に設けられ、前記ＡＣコンセントは、前記前面蓋が前記前面副開口部に取り付けられていない状態で、前記筐体の前方から見て前記前面副開口部より露出するようになっており、また、前記ＡＣコンセントの前記ＡＣプラグと向かい合う面が斜め前方上方を向いていることを特徴とする電子機器用充電保管装置が提供される。
【００１７】
本発明によれば、
上記の電子機器用充電保管装置であって、
当該電子機器用充電保管装置の後方から前記充電機器類を前記充電機器類格納部に対して出し入れするための後面開口部を更に備えることを特徴とする電子機器用充電保管装置が提供される。
【００１８】
本発明によれば、
上記の電子機器用充電保管装置であって、
前記後面開口部を閉じるための取り外し可能な後面蓋を更に備えることを特徴とする電子機器用充電保管装置が提供される。
【００１９】
本発明によれば、
上記の電子機器用充電保管装置であって、
当該電子機器用充電保管装置の後方から前記後面開口部を介して、前記充電機器類に含まれるＡＣアダプタをＡＣアダプタホルダに載置することができるように、前記ＡＣアダプタホルダが、前記充電機器類格納部の後方に設けられていることを特徴とする電子機器用充電保管装置が提供される。
【００２０】
本発明によれば、
上記の電子機器用充電保管装置であって、
前記ＡＣアダプタを前記ＡＣアダプタホルダに固定するため又は前記ＡＣアダプタの転倒を防止するためのクランプが前記ＡＣアダプタホルダに形成されていることを特徴とする電子機器用充電保管装置が提供される。
【００２１】
本発明によれば、
上記の電子機器用充電保管装置であって、
前記ＡＣアダプタに接続されている給電線を通すための第２の給電線用通し穴が前記ＡＣアダプタホルダに形成されていることを特徴とする電子機器用充電保管装置が提供される。
【００２２】
本発明によれば、
上記の電子機器用充電保管装置であって、
前記ＡＣアダプタホルダは、前記ＡＣアダプタを相互に接触可能に複数載置できるように形成されていることを特徴とする電子機器用充電保管装置が提供される。
【００２３】
本発明によれば、
上記の電子機器用充電保管装置であって、
前記充電機器類に含まれる給電線を拘束するために充電機器類格納部に設けられた拘束バンドを更に備えることを特徴とする電子機器用充電保管装置が提供される。
【００２４】
本発明によれば、
上記の電子機器用充電保管装置であって、
ＡＣ電源により前記充電機器類を介して前記電子機器を充電する時間を制限するためのタイマを更に備えることを特徴とする電子機器用充電保管装置が提供される。
【００２５】
本発明によれば、
上記の電子機器用充電保管装置であって、
当該電子機器用充電保管装置は、前記電子機器を前記電子機器格納部に複数格納することが可能であることを特徴とする電子機器用充電保管装置が提供される。
【００２６】
本発明によれば、
上記の電子機器用充電保管装置であって、
前記複数の電子機器を分離して前記電子機器格納部に格納するために前記電子機器格納部の内部に設けられた仕切板を更に備えることを特徴とする電子機器用充電保管装置が提供される。
【００２７】
本発明によれば、
上記の電子機器用充電保管装置であって、
当該電子機器用充電保管装置は、前記充電機器類を前記充電機器類格納部に複数格納することが可能であることを特徴とする電子機器用充電保管装置が提供される。
【００２８】
本発明によれば、
上記の電子機器用充電保管装置であって、
前記電子機器格納部と前記充電機器類格納部との組を複数備えることを特徴とする電子機器用充電保管装置が提供される。
【発明の効果】
【００２９】
本発明によれば、電子機器を保管し、また、その電子機器を保管している状態で充電する上で、保守管理性、利用性を向上させることができる。
【図面の簡単な説明】
【００３０】
【図１】本発明の実施形態による、前面扉が閉じている状態のタブレット型コンピュータ用保管充電装置の正面図である。
【図２】本発明の実施形態による、前面扉が開いている状態のタブレット型コンピュータ用保管充電装置の正面図である。
【図３】本発明の実施形態による電子機器用充電保管装置の上面図である。
【図４】本発明の実施形態による電子機器用充電保管装置の図１に示すＢ−Ｂに沿った断面図である。
【図５】本発明の実施形態による電子機器用充電保管装置の背面図である。
【図６】本発明の実施形態による電子機器用充電保管装置の右側面図である。
【図７】本発明の実施形態による電子機器用充電保管装置の図１に示すＡ−Ａに沿った断面図である。
【図８】本発明の実施形態による電子機器用充電保管装置の図７に示す部分Ｃについての部分拡大断面図である。
【図９】本発明の実施形態による電子機器用充電保管装置の図７の一部を抜粋した断面図である。
【図１０】本発明の実施形態による電子機器用充電保管装置の図７の一部を抜粋した他の断面図である。
【図１１】本発明の実施形態による電子機器用充電保管装置のＡＣアダプタホルダを示す三面図である。
【図１２】本発明の実施形態による電子機器用充電保管装置のＡＣアダプタホルダの使用状態を示す三面図である。
【図１３】本発明の実施形態による電子機器用充電保管装置の電源系統を示す機能ブロック図である。
【図１４】本発明の実施形態による電子機器用充電保管装置の前面扉の開閉機構を説明するための図である。
【図１５】本発明の実施形態による電子機器用充電保管装置の前面扉の開閉機構を説明するための別の図である。
【図１６】（ａ）は、本発明の他の実施形態による、前面扉が閉じている状態のタブレット型コンピュータ用保管充電装置の正面図であり、（ｂ）は、本発明の他の実施形態による、前面扉が開いている状態のタブレット型コンピュータ用保管充電装置の正面図である。
【発明を実施するための形態】
【００３１】
以下、図面を参照して本発明を実施するための形態によるタブレット型コンピュータ用保管充電装置について詳細に説明する。
【００３２】
本発明の実施形態によるタブレット型コンピュータ用保管充電装置（以下、「電子機器用充電保管装置」という。）１０１は、タブレット型コンピュータ９０１を保管するためのものである。但し、タブレット型コンピュータ９０１は、電子機器用充電保管装置１０１が保管することができる電子機器の一例であり、電子機器用充電保管装置１０１は、ノート型コンピュータ等の様々な電子機器を保管することができる。以下では、タブレット型コンピュータ９０１のことを電子機器ということがある。
【００３３】
電子機器用充電保管装置１０１は、当装置全体を覆う筐体１１１を備える。
【００３４】
筐体１１１の内部は、共通部を除き、上段と下段とを含む２段構成となっている。
【００３５】
筐体１１１内の上段には、電子機器９０１を格納するために上段の一部に電子機器格納部１１３−１が設けられている。また、筐体１１１の上段には、ＡＣ電源９１１により電子機器９０１を充電するための充電機器類９０３、９０５、９０７、９０９を格納するために上段の他の一部に充電機器類格納部１１５−１が設けられている。なお、電子機器格納部１１３−１の上部に充電機器類格納部１１５−１が設けられている。ここで、充電機器類は、ＡＣアダプタ９０３、ＡＣプラグ９０５、ＡＣコード９０７、ＤＣコード９０９を含むが、この一部が欠落していたり、他のものを含んでいてもよい。
【００３６】
筐体１１１内の上段と同様に、筐体１１１内の下段には、電子機器９０１を格納するために下段の一部に電子機器格納部１１３−２が設けられている。また、筐体１１１の下段には、電子機器９０１を充電するための充電機器類９０３、９０５、９０７、９０９を格納するために下段の他の一部に充電機器類格納部１１５−２が設けられている。
【００３７】
図１、図２、図７に代表的に示すように、上段及び下段の電子機器格納部１１３−１、１１３−２は、共に、複数の電子機器を格納することができる程度の幅を有しており、また、図２、図９に示すように、上段及び下段の電子機器格納部１１３−１、１１３−２双方の内部には、ここに格納される複数の電子機器９０１を相互に隔離するための仕切板２０３が備わる。仕切板２０３は取り外し可能であってもなくてもよい。自立できない電子機器９０１は、２つの仕切板２０３の間に電子機器格納部に格納されたならば、何れか片側の仕切板２０３に立て掛けられることとなる。
【００３８】
上段と下段の構成は同様であるので、以下では、上段と下段とで共通する構成については、代表的に上段に関する説明をして、下段についての説明を省略する。
【００３９】
電子機器格納部１１３と充電機器類格納部１１５との境界を構成する隔壁２０１には、給電線用通し穴１１７が設けられている。
【００４０】
給電線用通し穴１１７は、電子機器９０１を充電機器類９０３、９０５、９０７、９０９により充電するための、充電機器類に含まれる給電線であるＤＣコード９０９をそこに通すためのものである。ＤＣコード９０９の先端には、コネクタが備わり、これが電子機器９０１に接続される。
【００４１】
電子機器用充電保管装置１０１には、当該電子機器用充電保管装置１０１の前方から電子機器９０１を電子機器格納部１１３に対して出し入れするための前面主開口部１２１が備わる。
【００４２】
充電機器類格納部１１５から給電線用通し穴１１７を通って充電機器類格納部１１５に出てきた給電線９０９を筐体１１１の前方からの操作により電子機器９０１に接続すること又はこれから取り外すことができるように、給電線用通し穴１１７は、前面主開口部１２１の近くに配置されている。
【００４３】
電子機器用充電保管装置１０１は、前面主開口部１２１を閉じるための開閉可能な前面扉１２３を備える。
【００４４】
学校の生徒などは、前面扉１２３を開けることにより電子機器用充電保管装置１０１の前方から前面主開口部１２１を介してアクセスすることが可能となった電子機器格納部１１３に対して、電子機器９０１を入れたり、出したりすることとなる。
【００４５】
また、学校の生徒などは、前面扉１２３を開けることにより電子機器用充電保管装置１０１の前方から前面主開口部１２１を介してアクセスすることが可能となった電子機器格納部１１３に格納された電子機器９０１に対して、給電線用通し穴１１７から電子機器格納部１１３に出てきている給電線９０９を接続したり、外したりすることとなる。
【００４６】
前面扉１２３は、これが閉じた状態において、電子機器格納部１１３に電子機器９０１が格納されているか否かを外部から確認することができるような構成を有している。この構成とは、例えば、前面扉１２３の主要部の材質を、透明又は半透明の板にするような構成である。
【００４７】
また、電子機器用充電保管装置１０１は、前面扉１２３が、電子機器用充電保管装置１０１の内部に収納可能に開くようにするための収納機構１３３、１３５（図１４、図１５参照）を備える。収容構成は、前面扉１２３と電子機器用充電保管装置１０１とを前面扉１２３の上縁付近の水平方向の軸について回転可能に結合するように設置されるヒンジ１３３及び電子機器用充電保管装置１０１内部の、前面扉１２３の上縁付近の高さの位置に設置されるスライダ１３５を含む。図１４に示すように、前面扉１２３は、ヒンジ１３３を中心として上方に回転することにより水平になるまで開く。その後、図１５に示すように、前面扉１２３は、水平状態を維持したまま、スライダ１３５により、電子機器用充電保管装置１０１の内部に収納される。前面扉１２３は、収容機構により閉じられる時には、これと逆の動きをする。従って、電子機器用充電保管装置１０１は、省スペースとなる。
【００４８】
電子機器用充電保管装置１０１は、電子機器の充電状態を表示するための表示部１５７を備える。表示部１５７は、例えば、多色のＬＥＤを含み、電子機器の接続状態や充電状態により、表示状態を切り替える。例えば、非接続状態であるとき、接続状態で充電中であるとき、接続状態で充電済みであるとき、の３つの状態を区別できるように、表示色を切り替えたり、点灯・点滅・消灯を切り替える。
【００４９】
前面扉１２３は、これが閉じた状態において、表示部１５７による表示を外部から確認することができるような構成を有する。この構成とは、例えば、上述したように、前面扉１２３の主要部の材質を、透明又は半透明の板にするような構成である。
【００５０】
説明が重複するが、筐体１１１の内部は、共通部を除き、上段と下段とを含む２段構成となっており、上段と下段とのそれぞれに対応した２つの前面扉１２３が備えられている。そして、それぞれの前面扉１２３は、例えば、半透明の材質を用いたものであり、これが閉じた状態において、表示部１５７による表示と、電子機器格納部１１３に電子機器９０１が格納されているか否かを外部から確認することができるような構成を有する。また、電子機器用充電保管装置１０１は、前面扉１２３が、電子機器用充電保管装置１０１の内部に収納可能に開くようにするための収納機構１３３、１３５を備える。
【００５１】
このような２つの前面扉１２３の代わりに、上段と下段との双方の前方を覆うように、図１６（ａ）に示すようなシャッタ１７１を用いてもよい。シャッタ１７１には、透明又は半透明の素材が用いられているため、前面扉１２３と同様に、シャッタ１７１が閉じた状態において、表示部１５７による表示と、電子機器格納部１１３に電子機器９０１が格納されているか否かを外部から確認することができる。また、図１６（ｂ）に示すように、シャッタ１７１は、前面扉１２３と同様に、電子機器用充電保管装置１０１の内部に収納可能に開くようになっている。図１６（ｂ）は、シャッタ１７１の殆どの部分が電子機器用充電保管装置１０１の内部に格納されていて、シャッタ１７１の下端部に取り付けられているグリップ１７３とその周辺部のみが外部から見えている様子を示している。
【００５２】
電子機器用充電保管装置１０１は、充電機器類９０３、９０５、９０７、９０９に含まれるＡＣプラグ９０５を差し込むためのＡＣコンセント１１９を備える（図８、図９、図１０参照）。そして、電子機器用充電保管装置１０１は、筐体１１１の前方から充電機器類９０３、９０５、９０７、９０９に含まれるＡＣプラグ９０５をＡＣコンセント１１９に差し込むことができるようにするための前面副開口部１２５と、前面副開口部１２５を閉じるための取り外し可能な前面蓋１２７を備える。また、前面蓋１２７が開かないようにするための錠又はラッチも備える。
【００５３】
ＡＣコンセント１１９は、充電機器類格納部１１５の前方に設けられている。また、ＡＣコンセント１１９は、前面蓋１２７が前面副開口部１２５に取り付けられていない状態で、筐体１１１の前方から見て前面副開口部１２５より外部に露出するようになっており、また、ＡＣコンセント１１９のＡＣプラグ９０５と向かい合う面が斜め前方上方（仰角３０〜６０度程度）を向いている。
【００５４】
ＡＣコンセント１１９と、前面副開口部１２５との上述の構成により、学校の先生や管理者は、図１０に示すように、隔壁２０１の上面において充電機器類格納部１１５の前端部まで伸びてきているＡＣコード９０７の先端部にあるＡＣプラグ９０５を電子機器用充電保管装置１０１の前方からＡＣコンセント１１９に差し込むことを容易にできるようになる。また、このような構成により、ＡＣコンセント１１９に差し込まれたＡＣプラグ９０５に接続されているＡＣコード９０７をＡＣアダプタ９０３に向けて電子機器用充電保管装置１０１の後方に向けて曲げる必要がある角度をＡＣコンセント１１９のＡＣプラグ９０５と向かい合う面の仰角に応じて減らすことができる。仮に、ＡＣコンセント１１９のＡＣプラグ９０５と向かい合う面が真上を向いているならば、前方からＡＣプラグ９０５にＡＣコンセント１１９を差し込む作業は困難となり、この面が正面を向いているならば、ＡＣプラグ９０５に接続されているＡＣコード９０７をＡＣアダプタ９０３に向けて電子機器用充電保管装置１０１の後方に向けて曲げる必要がある角度を１８０度まで大きくする必要が出てきてしまう。
【００５５】
電子機器用充電保管装置１０１は、電子機器用充電保管装置１０１の後方から充電機器類９０３、９０５、９０７、９０９を充電機器類格納部１１５に対して出し入れするための後面開口部１２９と、後面開口部１２９を閉じるための取り外し可能な後面蓋１３１を備える。また、後面蓋１３１が開かないようにするための錠も備える。
【００５６】
図１０に代表的に示すように、電子機器用充電保管装置１０１の後方から後面開口部１２９を介して、充電機器類９０３、９０５、９０７、９０９に含まれるＡＣアダプタ９０３をＡＣアダプタホルダ１３７に載置することができるように、ＡＣアダプタホルダ１３７が、充電機器類格納部１１５の後方に設けられている。また、ＡＣアダプタホルダ１３７が、充電機器類格納部１１５の後方に設けられていて、ＡＣアダプタホルダ１３７と後面扉１３１との間には自由空間しかなく、更に、後面扉１３１には後面メッシュ１４７（図５参照）が施されているので、ＡＣアダプタホルダ１３７に載置されているＡＣアダプタ９０３で発生する熱を充電機器類格納部１１５の後方から放出する経路が確保されることになる。
【００５７】
図１１、図１２に示すように、ＡＣアダプタ９０３をＡＣアダプタホルダ１３７に固定するため又は前記ＡＣアダプタ９０３の転倒を防止するためのクランプ１３９がＡＣアダプタホルダ１３７に形成されている。クランプ１３９は、ＡＣアダプタホルダ１３７の後端部に取り付けた垂直板状（図の例では、山形状の垂直板状）であり、従って、クランプ１３９は、ＡＣアダプタ９０３が後方に傾いてＡＣアダプタホルダ１３７から落下することを防止することができる。
【００５８】
図１１、図１２に示すように、ＡＣアダプタ９０３に接続されているＡＣコード９０７を通すための第２の給電線用通し穴１４１がＡＣアダプタホルダ１３７に形成されている。なお、ＡＣアダプタ９０３を図１２に示す向きと比較して上下逆の向きにＡＣアダプタホルダ１３７に載置する場合には、第２の給電線用通し穴１４１には、ＤＣコード９０９が通されることとなる。
【００５９】
ＡＣアダプタホルダ１３７は、ＡＣアダプタ９０３を相互に接触可能に複数載置できるように形成されている。つまり、ＡＣアダプタホルダ１３７は、ＡＣアダプタ９０３を相互に隔離して複数載置するための隔壁を含んでいない。必要であれば、隔壁を取り付けることができる。
【００６０】
図１０に示すように、電子機器用充電保管装置１０１は、給電線用通し穴１１７の近傍に、給電線９０９をクリップするためのクリップ１４５を備える。ＤＣコード９０９は、クリップ１４５により固定されるため、給電線用通し穴１１７から容易に引き出されなくなる。従って、ＤＣコード９０９に接続されているＡＣアダプタ９０３がＤＣコード９０９に引かれて容易に移動してしまうようなことも回避することができる。
【００６１】
電子機器用充電保管装置１０１は、充電機器類９０３、９０５、９０７、９０９に含まれる給電線を拘束するための拘束バンド１４３を備える。拘束バンド１４３は、例えば、隔壁２０１の上面に取り付けられる。また、拘束バンド１４３は、例えば、配設後のＡＣコード９０７とＤＣコード９０９と拘束するように用いられる。これにより、例えば、ＡＣアダプタ９０３を移動した場合であっても、容易にＡＣプラグ９０５がＡＣコンセント１１９から抜けてしまうようなことを回避することができる。また、ＡＣアダプタ９０３を移動した場合であっても、容易にＤＣコード９０９が給電線用通し穴１１７に対してスライドしたり、ここから抜けてしまうことを回避することができる。
【００６２】
図４、図５等に示すように、電子機器用充電保管装置１０１は、ＡＣアダプタホルダ１３７を幅方向に並ぶように複数備える。また、図４に示すように、電子機器用充電保管装置１０１は、ＡＣコンセント１１９と、給電線用通し穴１１７を幅方向に並ぶように複数備える。また、各クリップ１４５は、各給電線用通し穴１１７毎に、その近傍に設置される。更に、隔壁２０１は、水平に置かれた平板状のものである。従って電子機器用充電保管装置１０１は、充電機器類９０１、９０３、９０５、９０７を充電機器類格納部１１５に複数格納することが可能である。特に、電子機器格納部１１３に格納する電子機器９０１と、充電機器類格納部１１５に格納する電子機器類の組の数を揃えることもできる。
【００６３】
上述したように、電子機器格納部１１３には、充電機器類９０１、９０３、９０５、９０７が配置されず、電子機器９０１並びにこれを格納して充電するために最低限必要なものである仕切板２０３、クリップ１４５及び給電線用通し穴１１７から垂れ下がってくるＤＣコード９０９の３種類のもののみが配置されることになる。従って、電子機器格納部１１３の内部において電子機器９０１が充電機器類９０１、９０３、９０５、９０７に干渉することがないため、電子機器格納部１１３に電子機器９０１を格納して、これを充電するための準備をする際に、電子機器９０１が充電機器類９０１、９０３、９０５、９０７に干渉しないようにするための調整をわざわざする必要がなくなる。また、電子機器９０１が充電機器類９０１、９０３、９０５、９０７に干渉することを完全に回避することができる。
【００６４】
また、前面蓋１２７及び後面蓋１３１が閉じている限り、前面扉１２３を開けても、電子機器用充電保管装置１０１の充電機器類格納部１１５に格納されている充電機器類９０１、９０３、９０５、９０７を外からアクセスすることができないため、この構成は、充電機器類９０１、９０３、９０５、９０７を保守することに非常に好適である。特に、前面蓋１２７を施錠又はラッチし、更に後面蓋１３１を施錠すれば、この保守性を向上させることができる。
【００６５】
電子機器用充電保管装置１０１の電源系統は、図１３の電源系統の機能ブロック図に示されるようなものである。
【００６６】
電源部１５１は、ＡＣ電源９１１を複数のＡＣコンセント１１９に分配する。これらのＡＣコンセント１１９に分配されるＡＣ電源に対して、電源部１５１を介して、タイマ１５３により時間制限をかけることができる。これにより、ＡＣ電源９１１により充電機器類９０１、９０３、９０５、９０７を介して電子機器９０１を充電する時間を制限することが可能となる。また、タイマ１５３には、タイマに時間を設定したり、これのオン／オフを切り替えるためのタイマ操作部１５５が設けられている。
【００６７】
電源部１５１は、ＡＣコンセント１１９から出力される電流、ＡＣコンセント１１９に接続されている負荷のインピーダンス等を検出する機能を備え、この検出の結果に応じて、上述したように、表示部１５７は、電子機器の充電状態や接続状態がわかるように表示することができるようになる。
【００６８】
図２に示すように、前面扉１２３−１には、錠１６１−１、ノブ１６３−１が取り付けられている。同様に、前面扉１２３−２には、錠１６１−２、ノブ１６３−２が取り付けられている。また、図２、図３に示すように、筐体１１１の右側面には、ハンドル１６５が取り付けられている。更に、筐体１０１の底面の４角には、キャスタ１６７が取り付けられている。キャスタ１６７の車輪回転軸は垂直軸を中心にして旋回可能となっているので、ハンドル１６５により取り回したり筐体１０１自体を押したりすることにより、電子機器用充電保管装置１０１を運ぶばかりではなく、自在に自転させることも可能である。
【００６９】
図６等に示すように、筐体１０１の両側面には、側面メッシュ１４９が施されている。各側面には、４組の側面メッシュが施されているが、これらの組は、上段の電子機器格納部１１３−１、上段の充電機器類格納部１１５−１、下段の電子機器格納部１１３−２、下段の充電機器類格納部１１５−２にそれぞれ対応しており、これらの組は、対応する格納部で発生する熱を放出する経路となっている。又は、これらの組は、反対の側面にある対応する組と対となって、左右に抜ける通風路を形成している。
【００７０】
学校で利用されることを想定して、電子機器用充電保管装置１０１を利用する方法を、準備段階と、運用段階に分けて説明する。
【００７１】
準備段階においては、電子機器用充電保管装置１０１に、充電機器類９０１、９０３、９０５、９０７を設置する。これは、生徒が行ってもよいが、先生や管理者が行うような運営をするのが通常であろう。
【００７２】
設置のためには、まず、前面蓋１２７を前面副開口部１２５から取り外し、後面蓋１３１を後面開口部１２９から取り外す。
【００７３】
次に、電子機器用充電保管装置１０１の後方から後面開口部１２９を介して、ＡＣアダプタ９０３をＡＣアダプタホルダ１３７に載置する。この際に、ＡＣコード９０７を第２の給電線用通し穴１４１に通す。そして、ＡＣプラグ９０５をＡＣコンセント１１９近傍に置くために、ＡＣコード９０７を隔壁２０１の上面に配置する。また、ＤＣコード９０９の先端を給電線用通し穴１１７に通して、電子機器格納部１１３に侵入するようにする。この状態で、ＡＣコード９０７とＤＣコード９０９を拘束バンド１４３で仮に拘束してもよい。
【００７４】
次に、電子機器用充電保管装置１０１の前方から前面副開口部１２５を介して、ＡＣコンセント１１９近傍に置かれているＡＣプラグ９０５をＡＣコンセント１１９に差し込む。また、電子機器用充電保管装置１０１の前方から前面主開口部１２１を介して、給電線用通し穴１１７から垂れ下がっているＤＣコード９０９をクリップ１４５で留める。留める前に、必要に応じて、給電線用通し穴１１７からＤＣコード９０９の先端までの長さを調整してもよい。
【００７５】
なお、ＡＣコンセント１１９のＡＣプラグ９０５と向かい合う面が斜め前方上方を向いており、また、充電機器類格納部１１５の内部は十分な自由空間となっているので、この自由空間に差し込んだ腕と手により、電子機器用充電保管装置１０１の後方からＡＣプラグ９０５をＡＣコンセント１１９に差し込むこともできる。
【００７６】
次に、必要に応じてＡＣコード９０７とＤＣコード９０９の位置を調整し、それから、これらを拘束バンド１４３で拘束する。
【００７７】
準備段階の最後に、前面蓋１２７を前面副開口部１２５に取り付け、後面蓋１３１を後面開口部１２９に取り付ける。そして、後面蓋１３１を施錠し又はこれにラッチをかけ、後面開口部１２９を施錠する。
【００７８】
運用段階においては、通常であれば、生徒により、毎日の始業時に、充電済みの電子機器９０１がＤＣコード９０９から外されて、電子機器用充電保管装置１０１から取り出され、終業時に、電子機器用充電保管装置１０１に使用後の電子機器９０１が充電機器類に接続された状態で格納される。これにより、翌日の始業前には、電子機器９０１が電子機器用充電保管装置１０１内において充電済みの状態となっていることになる。
【００７９】
ここで、終業から翌日の始業までの間に、電子機器用充電保管装置１０１から不必要に電子機器９０１が取り出されたり、ＤＣコード９０９が外されて充電されなくなることを防止するためには、必要に応じて、前面扉１２３−１、１２３−２を閉じておき、錠１６１−１、１６１−２により施錠する。
【００８０】
前面扉１２３が閉じている状態であっても、上述したように、前面扉１２３は、表示部１５７による表示を外部から確認することができる構成を有しており、また、電子機器格納部１１３に電子機器９０１が格納されているか否かを外部から確認することができるような構成を有しているので、これらを確認するためにわざわざ前面扉１２３を開く必要がなく、従って、例えば、施錠を先生や管理者が行う場合であっても、先生や管理者はむろんのこと生徒もこれらを確認することが可能となる。
【００８１】
なお、本実施形態による電子機器用充電保管装置１０１は、２段構成であるが、１段構成であっても、３段以上の構成であってもよい。
【００８２】
また、仕切板２０３を外したり、これらの間隔を調整することにより、任意の幅の電子機器を電子機器格納部に格納するようにしてもよい。仕切板２０３を全く設置しないで、自立できるような電子機器を格納するようにしてもよい。仕切板２０３の間隔をそれぞれの種類の電子機器に合わせて、異なった種類の電子機器を複数格納するようにしてもよい。
【産業上の利用可能性】
【００８３】
本発明は、電子機器を保管して、保管されている電子機器を充電するために利用することができる。
【符号の説明】
【００８４】
１０１  電子機器用充電保管装置
１１１  筐体
１１３  電子機器格納部
１１５  充電機器類格納部
１１７  給電線用通し穴
１１９  ＡＣコンセント
１２１  前面主開口部
１２３  前面扉
１２５  前面副開口部
１２７  前面蓋
１２９  後面開口部
１３１  後面蓋
１３３  ヒンジ（収納機構）
１３５  スライダ（収納機構）
１３７  ＡＣアダプタホルダ
１３９  クランプ
１４１  第２の給電線用通し穴
１４３  拘束バンド
１４５  クリップ
１４７  後面メッシュ
１４９  側面メッシュ
１５１  電源部
１５３  タイマ
１５５  タイマ操作部
１５７  表示部
１６１  錠
１６３  ノブ
１６５  ハンドル
１６７  キャスタ
１７１  シャッタ
２０１  隔壁
２０３  仕切板
９０１  電子機器
９０３  ＡＣアダプタ（充電機器類）
９０５  ＡＣプラグ（充電機器類）
９０７  ＡＣコード（給電線、充電機器類）
９０９  ＤＣコード（給電線、充電機器類）
９１１  ＡＣ電源
【図１】
2015213426.tif 000003
【図２】
2015213426.tif 000004
【図３】
2015213426.tif 000005
【図４】
2015213426.tif 000006
【図５】
2015213426.tif 000007
【図６】
2015213426.tif 000008
【図７】
2015213426.tif 000009
【図８】
2015213426.tif 000010
【図９】
2015213426.tif 000011
【図１０】
2015213426.tif 000012
【図１１】
2015213426.tif 000013
【図１２】
2015213426.tif 000014
【図１３】
2015213426.tif 000015
【図１４】
2015213426.tif 000016
【図１５】
2015213426.tif 000017
【図１６】
2015213426.tif 000018
【手続補正書】
【提出日】平成27年9月14日(2015.9.14)
【手続補正１】
【補正対象書類名】特許請求の範囲
【補正対象項目名】全文
【補正方法】変更
【補正の内容】
【特許請求の範囲】
【請求項１】
電子機器を保管するための電子機器用充電保管装置であって、
当該電子機器用充電保管装置の筐体と、
前記電子機器を格納するために前記筐体内の一部に設けられた電子機器格納部と、
ＡＣ電源により前記電子機器を充電するための充電機器類を格納するために前記筐体内の他の一部に設けられた充電機器類格納部と、
当該電子機器用充電保管装置の前方から前記電子機器を前記電子機器格納部に対して出し入れするための前面主開口部と、
前記充電機器格納部に格納されている前記充電機器類が、前記電子機器格納部から見られることが防止されるように、前記電子機器格納部を前記充電機器類格納部から隔離するための隔壁と、
前記前面主開口部を閉じるための開閉可能な前面扉と、
を備え、
前記前面扉は、該前面扉が閉じた状態において、前記電子機器格納部に前記電子機器が格納されているか否かを外部から、前記前面扉を介して、確認することができるような構成を有することを特徴とする電子機器用充電保管装置。
【請求項２】
請求項１に記載の電子機器用充電保管装置であって、
前記充電機器類格納部と前記電子機器類格納部とは、前記隔壁を介して、上下方向に並んでいることを特徴とする電子機器用充電保管装置。
【請求項３】
請求項１又は２に記載の電子機器用充電保管装置であって、
前記前面扉は、透明又は半透明で、プロファイルが矩形状の板を備え、該板は、少なくとも３辺がフレームレスであることを特徴とする電子機器用充電保管装置。
【請求項４】
請求項１乃至３の何れか１項に記載の電子機器用充電保管装置であって、
前記電子機器の充電状態を表示するための表示部を更に備え、
前記前面扉は、該前面扉が閉じた状態において、前記表示部による表示を外部から、該前面扉を介して、確認することができるような構成を有することを特徴とする電子機器用充電保管装置。
【請求項５】
請求項１乃至４の何れか１項に記載の電子機器用充電保管装置であって、
前記前面扉が、当該電子機器用充電保管装置の内部に収納可能に開くようにするための収納機構を備えることを特徴とする電子機器用充電保管装置。
【請求項６】
請求項１乃至５の何れか１項に記載の電子機器用充電保管装置であって、
前記電子機器を前記充電機器類により充電するための、前記充電機器類に含まれる給電線を通すために前記電子機器格納部と前記充電機器類格納部との境界に設けられた給電線用通し穴を更に備えることを特徴とする電子機器用充電保管装置。
【請求項７】
請求項６に記載の電子機器用充電保管装置であって、
前記給電線用通し穴から前記電子機器格納部に出ている前記給電線をクリップするためのクリップを更に備えることを特徴とする電子機器用充電保管装置。
【請求項８】
請求項１乃至７の何れか１項に記載の電子機器用充電保管装置であって、
前記充電機器類に含まれるＡＣプラグを差し込むためのＡＣコンセントと、
前記筐体の前方から前記充電機器類に含まれる前記ＡＣプラグを前記ＡＣコンセントに差し込むことができるようにするための前面副開口部と、
前記前面副開口部を閉じるための取り外し可能な前面蓋と、
を更に備えることを特徴とする電子機器用充電保管装置。
【請求項９】
請求項８に記載の電子機器用充電保管装置であって、
前記ＡＣコンセントが、前記充電機器類格納部の前方に設けられ、前記ＡＣコンセントは、前記前面蓋が前記前面副開口部に取り付けられていない状態で、前記筐体の前方から見て前記前面副開口部より露出するようになっており、また、前記ＡＣコンセントの前記ＡＣプラグと向かい合う面が斜め前方上方を向いていることを特徴とする電子機器用充電保管装置。
【請求項１０】
請求項１乃至９の何れか１項に記載の電子機器用充電保管装置であって、
当該電子機器用充電保管装置の後方から前記充電機器類を前記充電機器類格納部に対して出し入れするための後面開口部を更に備えることを特徴とする電子機器用充電保管装置。
【請求項１１】
請求項１０に記載の電子機器用充電保管装置であって、
前記後面開口部を閉じるための取り外し可能な後面蓋を更に備えることを特徴とする電子機器用充電保管装置。
【請求項１２】
請求項１０又は１１に記載の電子機器用充電保管装置であって、
当該電子機器用充電保管装置の後方から前記後面開口部を介して、前記充電機器類に含まれるＡＣアダプタをＡＣアダプタホルダに載置することができるように、前記ＡＣアダプタホルダが、前記充電機器類格納部の後方に設けられていることを特徴とする電子機器用充電保管装置。
【請求項１３】
請求項１２に記載の電子機器用充電保管装置であって、
前記ＡＣアダプタを前記ＡＣアダプタホルダに固定するため又は前記ＡＣアダプタの転倒を防止するためのクランプが前記ＡＣアダプタホルダに形成されていることを特徴とする電子機器用充電保管装置。
【請求項１４】
請求項１２又は１３に記載の電子機器用充電保管装置であって、
前記ＡＣアダプタに接続されている給電線を通すための第２の給電線用通し穴が前記ＡＣアダプタホルダに形成されていることを特徴とする電子機器用充電保管装置。
【請求項１５】
請求項１２乃至１４の何れか１項に記載の電子機器用充電保管装置であって、
前記ＡＣアダプタホルダは、前記ＡＣアダプタを相互に接触可能に複数載置できるように形成されていることを特徴とする電子機器用充電保管装置。
【請求項１６】
請求項１乃至１５の何れか１項に記載の電子機器用充電保管装置であって、
前記充電機器類に含まれる給電線を拘束するために充電機器類格納部に設けられた拘束バンドを更に備えることを特徴とする電子機器用充電保管装置。
【請求項１７】
請求項１乃至１６の何れか１項に記載の電子機器用充電保管装置であって、
ＡＣ電源により前記充電機器類を介して前記電子機器を充電する時間を制限するためのタイマを更に備えることを特徴とする電子機器用充電保管装置。
【請求項１８】
請求項１乃至１７の何れか１項に記載の電子機器用充電保管装置であって、
前記電子機器を前記電子機器格納部に複数格納することが可能であることを特徴とする電子機器用充電保管装置。
【請求項１９】
請求項１８に記載の電子機器用充電保管装置であって、
前記複数の電子機器を分離して前記電子機器格納部に格納するために前記電子機器格納部の内部に設けられた仕切板を更に備えることを特徴とする電子機器用充電保管装置。
【請求項２０】
請求項１８又は１９に記載の電子機器用充電保管装置であって、
前記複数の電子機器の各々に１つのＡＣアダプタが対応するように、前記ＡＣアダプタを前記充電機器類格納部に複数格納することが可能であることを特徴とする電子機器用充電保管装置。
【請求項２１】
請求項１乃至２０の何れか１項に記載の電子機器用充電保管装置であって、
前記電子機器格納部と前記充電機器類格納部との組を複数備えることを特徴とする電子機器用充電保管装置。
【手続補正２】
【補正対象書類名】明細書
【補正対象項目名】００１１
【補正方法】変更
【補正の内容】
【００１１】
本発明によれば、  電子機器を保管するための電子機器用充電保管装置であって、
当該電子機器用充電保管装置の筐体と、
前記電子機器を格納するために前記筐体内の一部に設けられた電子機器格納部と、
ＡＣ電源により前記電子機器を充電するための充電機器類を格納するために前記筐体内の他の一部に設けられた充電機器類格納部と、
当該電子機器用充電保管装置の前方から前記電子機器を前記電子機器格納部に対して出し入れするための前面主開口部と、
前記充電機器格納部に格納されている前記充電機器類が、前記電子機器格納部から見られることが防止されるように、前記電子機器格納部を前記充電機器類格納部から隔離するための隔壁と、
前記前面主開口部を閉じるための開閉可能な前面扉と、
を備え、
前記前面扉は、該前面扉が閉じた状態において、前記電子機器格納部に前記電子機器が格納されているか否かを外部から、前記前面扉を介して、確認することができるような構成を有することを特徴とする電子機器用充電保管装置が提供される。
本発明によれば、
上記の電子機器用充電保管装置であって、
前記充電機器類格納部と前記電子機器類格納部とは、前記隔壁を介して、上下方向に並んでいることを特徴とする電子機器用充電保管装置が提供される。
本発明によれば、
上記の電子機器用充電保管装置であって、
前記前面扉は、透明又は半透明で、プロファイルが矩形状の板を備え、該板は、少なくとも３辺がフレームレスであることを特徴とする電子機器用充電保管装置が提供される。
【手続補正３】
【補正対象書類名】明細書
【補正対象項目名】００１２
【補正方法】変更
【補正の内容】
【００１２】
本発明によれば、  上記の電子機器用充電保管装置であって、
前記電子機器の充電状態を表示するための表示部を更に備え、
前記前面扉は、該前面扉が閉じた状態において、前記表示部による表示を外部から、該前面扉を介して、確認することができるような構成を有することを特徴とする電子機器用充電保管装置が提供される。
【手続補正４】
【補正対象書類名】明細書
【補正対象項目名】００１６
【補正方法】変更
【補正の内容】
【００１６】
本発明によれば、  上記の電子機器用充電保管装置であって、
前記充電機器類に含まれるＡＣプラグを差し込むためのＡＣコンセントと、
前記筐体の前方から前記充電機器類に含まれる前記ＡＣプラグを前記ＡＣコンセントに差し込むことができるようにするための前面副開口部と、
前記前面副開口部を閉じるための取り外し可能な前面蓋と、
を更に備えることを特徴とする電子機器用充電保管装置が提供される。
本発明によれば、
上記の電子機器用充電保管装置であって、
前記ＡＣコンセントが、前記充電機器類格納部の前方に設けられ、前記ＡＣコンセントは、前記前面蓋が前記前面副開口部に取り付けられていない状態で、前記筐体の前方から見て前記前面副開口部より露出するようになっており、また、前記ＡＣコンセントの前記ＡＣプラグと向かい合う面が斜め前方上方を向いていることを特徴とする電子機器用充電保管装置が提供される。
【手続補正５】
【補正対象書類名】明細書
【補正対象項目名】００２７
【補正方法】変更
【補正の内容】
【００２７】
本発明によれば、  上記の電子機器用充電保管装置であって、
前記複数の電子機器の各々に１つのＡＣアダプタが対応するように、前記ＡＣアダプタを前記充電機器類格納部に複数格納することが可能であることを特徴とする電子機器用充電保管装置が提供される。